(57)【特許請求の範囲】
【請求項１】
アプリケーションインターフェースの表示方法であって、
第２の端末が、指定のアプリケーションを開く操作が検出された場合、前記指定のアプリケーションが機密アプリケーションであるか否かを判断することと、
前記第２の端末が、前記指定のアプリケーションが機密アプリケーションである場合、前記指定のアプリケーションの暗号化表示方式を取得することと、
前記第２の端末が、第１の端末と予め確立したネットワーク接続によって、前記指定のアプリケーションのアプリケーションインターフェースデータ、及び前記暗号化表示方式を前記第１の端末に送信することと、
前記第２の端末が、前記指定のアプリケーションのアプリケーションインターフェースを正常表示することと、
を含み、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示するために用いられ、
前記指定のアプリケーションの暗号化表示方式を取得することは、
前記第２の端末が、前記指定のアプリケーションのアプリケーション識別子を取得することと、
前記第２の端末が、前記アプリケーション識別子に基づいて、暗号化データベースから、前記アプリケーション識別子に対応する暗号化表示方式を取得することと、
を含み、
前記暗号化データベースに暗号化の対象となるアプリケーションのアプリケーション識別子と暗号化表示方式との対応関係が記憶されている、
アプリケーションインターフェースの表示方法。
【請求項２】
前記指定のアプリケーションが機密アプリケーションであるか否かを判断することは、
前記第２の端末が、前記指定のアプリケーションのアプリケーション識別子を取得することと、
前記アプリケーション識別子が予め設定された機密アプリケーションのアプリケーション識別子と同じである場合、前記第２の端末が、前記指定のアプリケーションが機密アプリケーションであることを確定することと、
を含む、
請求項１に記載のアプリケーションインターフェースの表示方法。
【請求項３】
前記指定のアプリケーションのアプリケーションインターフェースデータ、及び前記暗号化表示方式を前記第１の端末に送信した後に、
前記第２の端末で前記アプリケーションインターフェースを表示する中で、前記第２の端末が、前記アプリケーションインターフェースにおいてスライド操作が検出された場合、スライド操作のスライド領域を取得することと、
前記第２の端末が、前記スライド領域を前記第１の端末に送信し、前記第１の端末によって前記スライド領域内のアプリケーションインターフェースのコンテンツを表示することと、
をさらに含む、
請求項１又は２に記載のアプリケーションインターフェースの表示方法。
【請求項４】
前記指定のアプリケーションが機密アプリケーションであるか否かを判断する前に、
前記第２の端末が、現在モードがプライバシー保護モードであるか否かを検出することと、
現在モードがプライバシー保護モードである場合、前記第２の端末が、前記指定のアプリケーションが機密アプリケーションであるか否かを判断するステップを実施することと、
をさらに含む、
請求項１に記載のアプリケーションインターフェースの表示方法。
【請求項５】
アプリケーションインターフェースの表示方法であって、
第１の端末が、第２の端末と予め確立したネットワーク接続によって、前記第２の端末から送信される指定のアプリケーションのアプリケーションインターフェースデータと暗号化表示方式とを受信することと、
前記第１の端末が、前記アプリケーションインターフェースデータに基づいて、前記指定のアプリケーションのアプリケーションインターフェースを生成することと、
前記第１の端末が、前記暗号化表示方式に基づいて、前記アプリケーションインターフェースを表示することと、
を含み、前記指定のアプリケーションが、前記第２の端末が現在開いている、正常に表示されているアプリケーションであり、
前記暗号化表示方式が、前記第２の端末により取得された前記指定のアプリケーションのアプリケーション識別子に基づいて、暗号化データベースから取得された前記アプリケーション識別子に対応する暗号化表示方式であり、前記暗号化データベースに暗号化の対象となるアプリケーションのアプリケーション識別子と暗号化表示方式との対応関係が記憶されている、
アプリケーションインターフェースの表示方法。
【請求項６】
前記暗号化表示方式に基づいて、前記アプリケーションインターフェースを表示した後に、
前記第１の端末が、前記第２の端末から送信されるスライド領域を受信することと、
前記第１の端末が、前記スライド領域内のアプリケーションインターフェースのコンテンツを表示することと、
をさらに含み、前記スライド領域が、前記第２の端末が前記アプリケーションインターフェースにおいて検出したスライド操作によって確定される、
請求項５に記載のアプリケーションインターフェースの表示方法。
【請求項７】
アプリケーションインターフェースの表示装置であって、判断モジュール、取得モジュール、送信モジュール、及びインターフェース表示モジュールを含み、
前記判断モジュールは、指定のアプリケーションを開く操作が検出された場合、前記指定のアプリケーションが機密アプリケーションであるか否かを判断するように構成され、
前記取得モジュールは、前記指定のアプリケーションが機密アプリケーションである場合、前記指定のアプリケーションの暗号化表示方式を取得するように構成され、
前記送信モジュールは、第１の端末と予め確立したネットワーク接続によって、前記指定のアプリケーションのアプリケーションインターフェースデータ、及び前記暗号化表示方式を前記第１の端末に送信するように構成され、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示するために用いられ、
前記インターフェース表示モジュールが、前記指定のアプリケーションのアプリケーションインターフェースを正常表示するように構成され、
前記取得モジュールは、前記指定のアプリケーションのアプリケーション識別子を取得し、前記アプリケーション識別子に基づいて、暗号化データベースから、前記アプリケーション識別子に対応する暗号化表示方式を取得するようにさらに構成され、前記暗号化データベースに暗号化の対象となるアプリケーションのアプリケーション識別子と暗号化表示方式との対応関係が記憶されている、
アプリケーションインターフェースの表示装置。
【請求項８】
前記判断モジュールは、前記指定のアプリケーションのアプリケーション識別子を取得し、前記アプリケーション識別子が予め設定された機密アプリケーションのアプリケーション識別子と同じである場合、前記指定のアプリケーションが機密アプリケーションであることを確定するように構成される、
請求項７に記載のアプリケーションインターフェースの表示装置。
【請求項９】
前記取得モジュールは、前記アプリケーションインターフェースを表示する中で、前記アプリケーションインターフェースにおいてスライド操作が検出された場合、スライド操作のスライド領域を取得するようにさらに構成され、
前記送信モジュールは、前記スライド領域を前記第１の端末に送信するようにさらに構成され、前記第１の端末によって前記スライド領域内のアプリケーションインターフェースのコンテンツを表示する、
請求項７又は８に記載のアプリケーションインターフェースの表示装置。
【請求項１０】
前記アプリケーションインターフェースの表示装置は、
現在モードがプライバシー保護モードであるか否かを検出するように構成される検出モジュールをさらに含み、
前記判断モジュールは、現在モードがプライバシー保護モードである場合、前記指定のアプリケーションが機密アプリケーションであるか否かを判断するように構成される、
請求項７に記載のアプリケーションインターフェースの表示装置。
【請求項１１】
アプリケーションインターフェースの表示装置であって、受信モジュール、インターフェース生成モジュール、及びインターフェース表示モジュールを含み、
前記受信モジュールは、第２の端末と予め確立したネットワーク接続によって、前記第２の端末から送信される指定のアプリケーションのアプリケーションインターフェースデータと暗号化表示方式とを受信するように構成され、前記指定のアプリケーションが、前記第２の端末が現在開いている、正常に表示されているアプリケーションであり、
前記インターフェース生成モジュールは、前記アプリケーションインターフェースデータに基づいて、前記指定のアプリケーションのアプリケーションインターフェースを生成するように構成され、
前記インターフェース表示モジュールは、前記暗号化表示方式に基づいて、前記アプリケーションインターフェースを表示するように構成され、
前記暗号化表示方式が、前記第２の端末により取得された前記指定のアプリケーションのアプリケーション識別子に基づいて、暗号化データベースから取得された前記アプリケーション識別子に対応する暗号化表示方式であり、前記暗号化データベースに暗号化の対象となるアプリケーションのアプリケーション識別子と暗号化表示方式との対応関係が記憶されている、
アプリケーションインターフェースの表示装置。
【請求項１２】
前記受信モジュールは、前記第２の端末から送信されるスライド領域を受信するように構成され、前記スライド領域が、前記第２の端末が前記アプリケーションインターフェースにおいて検出したスライド操作によって確定され、
前記インターフェース表示モジュールは、前記スライド領域内のアプリケーションインターフェースのコンテンツを表示するように構成される、
請求項１１に記載のアプリケーションインターフェースの表示装置。
【請求項１３】
アプリケーションインターフェースの表示装置であって、
プロセッサと、
プロセッサで実行可能な命令を記憶するように構成される記憶装置と、を含み、
ここで、前記プロセッサは、
指定のアプリケーションを開く操作が検出された場合、前記指定のアプリケーションが機密アプリケーションであるか否かを判断し、
前記指定のアプリケーションが機密アプリケーションである場合、前記指定のアプリケーションの暗号化表示方式を取得し、
第１の端末と予め確立したネットワーク接続によって、前記指定のアプリケーションのアプリケーションインターフェースデータ、及び前記暗号化表示方式を前記第１の端末に送信し、
前記指定のアプリケーションのアプリケーションインターフェースを正常表示するように構成され、
前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示するために用いられ、
前記指定のアプリケーションの暗号化表示方式を取得することは、
前記指定のアプリケーションのアプリケーション識別子を取得することと、
前記アプリケーション識別子に基づいて、暗号化データベースから、前記アプリケーション識別子に対応する暗号化表示方式を取得することと、
を含み、前記暗号化データベースに暗号化の対象となるアプリケーションのアプリケーション識別子と暗号化表示方式との対応関係が記憶されている、
アプリケーションインターフェースの表示装置。
【請求項１４】
アプリケーションインターフェースの表示装置であって、
プロセッサと、
プロセッサで実行可能な命令を記憶するように構成される記憶装置とを含み、
ここで、前記プロセッサは、
第２の端末と予め確立したネットワーク接続によって、前記第２の端末から送信される指定のアプリケーションのアプリケーションインターフェースデータと暗号化表示方式とを受信し、
前記アプリケーションインターフェースデータに基づいて、前記指定のアプリケーションのアプリケーションインターフェースを生成し、
前記暗号化表示方式に基づいて、前記アプリケーションインターフェースを表示するように構成され、
前記指定のアプリケーションが、前記第２の端末が現在開いている、正常に表示されているアプリケーションであり、
前記暗号化表示方式が、前記第２の端末により取得された前記指定のアプリケーションのアプリケーション識別子に基づいて、暗号化データベースから取得された前記アプリケーション識別子に対応する暗号化表示方式であり、前記暗号化データベースに暗号化の対象となるアプリケーションのアプリケーション識別子と暗号化表示方式との対応関係が記憶されている、
アプリケーションインターフェースの表示装置。
【請求項１５】
非一時的のコンピュータ読み取り可能な記憶媒体であって、
前記非一時的のコンピュータ読み取り可能な記憶媒体に少なくとも一つの命令が記憶され、前記少なくとも一つの命令が、プロセッサによってロードされ実行されて、請求項１乃至４のいずれか１項に記載のアプリケーションインターフェースの表示方法を実現するようにする、
前記非一時的のコンピュータ読み取り可能な記憶媒体。
【請求項１６】
非一時的のコンピュータ読み取り可能な記憶媒体であって、
前記非一時的のコンピュータ読み取り可能な記憶媒体に少なくとも一つの命令が記憶され、前記少なくとも一つの命令が、プロセッサによってロードされ実行されて、請求項５又は６に記載のアプリケーションインターフェースの表示方法を実現するようにする、非一時的のコンピュータ読み取り可能な記憶媒体。
【発明の詳細な説明】
【技術分野】
【０００１】
関連出願との相互参照
本出願は、出願番号が２０１７１０８８８２２４．４であり、出願日が２０１７年０９月２７日である中国特許出願に基づいて出願し、当該中国特許出願の優先権を主張し、本明細書には当該中国特許出願のすべての内容を参照として組み込まれる。
【０００２】
本開示はインターネット技術分野に関し、特にアプリケーションインターフェースの表示方法及び装置に関する。
【背景技術】
【０００３】
インターネット技術の発展に伴い、情報の共有をより良く行うために、多くのユーザは、スマートフォン、タブレットコンピュータ等の小画面端末におけるアプリケーションインターフェースをプロジェクター、スマートテレビなどの大画面端末に投影し、大画面端末によって表示するようになっている。
【０００４】
大画面端末を第１の端末、小画面端末を第２の端末とする例で説明すると、相関技術では、アプリケーションインターフェースを表示するときに、主に下記の方法を採用する。第１の端末と第２の端末とは、ネットワーク接続を確立し、確立したネットワーク接続によって、第２の端末は、指定のアプリケーションのアプリケーションインターフェースデータを第１の端末に送信し、指定のアプリケーションのアプリケーションインターフェースデータを受信した場合、第１の端末は、アプリケーションインターフェースデータに基づいて、指定のアプリケーションのアプリケーションインターフェースを生成し、当該アプリケーションインターフェースを表示する。
【発明の概要】
【発明が解決しようとする課題】
【０００５】
本開示は、アプリケーションインターフェースの表示方法、及び装置を提供する。
【課題を解決するための手段】
【０００６】
本開示の実施例による第１の態様において、アプリケーションインターフェースの表示方法を提供し、前記方法は、
指定のアプリケーションを開く操作が検出された場合、前記指定のアプリケーションが機密アプリケーションであるか否かを判断することと、
前記指定のアプリケーションが機密アプリケーションである場合、前記指定のアプリケーションの暗号化表示方式を取得することと、
第１の端末と予め確立したネットワーク接続によって、前記指定のアプリケーションのアプリケーションインターフェースデータ、及び前記暗号化表示方式を前記第１の端末に送信することと、を含み、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる。
【０００７】
本開示のもう一つの実施例において、前記指定のアプリケーションが機密アプリケーションであるか否かを判断することは、
前記指定のアプリケーションのアプリケーション識別子を取得することと、
前記アプリケーション識別子が予め設定された機密アプリケーションのアプリケーション識別子と同じである場合、前記指定のアプリケーションが機密アプリケーションであることを確定することと、
を含む。
【０００８】
本開示のもう一つの実施例において、前記指定のアプリケーションの暗号化表示方式を取得することは、
前記指定のアプリケーションのアプリケーション識別子を取得することと、
前記アプリケーション識別子に基づいて、暗号化データベースから、前記アプリケーション識別子に対応する暗号化表示方式を取得することと、
を含み、前記暗号化データベースに暗号化のアプリケーションのアプリケーション識別子と暗号化表示方式との対応関係が記憶されている。
【０００９】
本開示のもう一つの実施例において、前記指定のアプリケーションのアプリケーションインターフェースデータ、及び前記暗号化表示方式を前記第１の端末に送信した後に、
前記アプリケーションインターフェースを表示する中で、前記アプリケーションインターフェースにおいてスライド操作が検出された場合、スライド操作のスライド領域を取得することと、
前記スライド領域を前記第１の端末に送信し、前記第１の端末によって前記スライド領域内のアプリケーションインターフェースの内容を表示することと、
をさらに含む。
【００１０】
本開示のもう一つの実施例において、前記指定のアプリケーションが機密アプリケーションであるか否かを判断する前に、
現在モードがプライバシー保護モードであるか否かを検出することと、
現在モードがプライバシー保護モードである場合、前記指定のアプリケーションが機密アプリケーションであるか否かを判断するステップを実施することと、
をさらに含む。
【００１１】
本開示の実施例による第２の態様において、アプリケーションインターフェースの表示方法を提供し、前記方法は、
第２の端末と予め確立したネットワーク接続によって、前記第２の端末から送信される指定のアプリケーションのアプリケーションインターフェースデータと暗号化表示方式とを受信することと、
前記アプリケーションインターフェースデータに基づいて、前記指定のアプリケーションのアプリケーションインターフェースを生成することと、
前記暗号化表示方式に基づいて、前記アプリケーションインターフェースを表示することと、
を含み、前記指定のアプリケーションが、前記第２の端末が現在開いているアプリケーションである。
【００１２】
本開示のもう一つの実施例において、前記暗号化表示方式に基づいて、前記アプリケーションインターフェースを表示した後に、
前記第２の端末から送信されるスライド領域を受信することと、
前記スライド領域内のアプリケーションインターフェースの内容を表示することと、
をさらに含み、前記スライド領域が、前記第２の端末が前記アプリケーションインターフェースにおいて検出したスライド操作によって確定される。
【００１３】
本開示の実施例による第３の態様において、アプリケーションインターフェースの表示装置を提供し、前記装置は、判断モジュール、取得モジュール、及び送信モジュールを含み、
判断モジュールは、指定のアプリケーションを開く操作が検出された場合、前記指定のアプリケーションが機密アプリケーションであるか否かを判断するように構成され、
取得モジュールは、前記指定のアプリケーションが機密アプリケーションである場合、前記指定のアプリケーションの暗号化表示方式を取得するように構成され、
送信モジュールは、第１の端末と予め確立したネットワーク接続によって、前記指定のアプリケーションのアプリケーションインターフェースデータ、及び前記暗号化表示方式を前記第１の端末に送信するように構成され、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる。
【００１４】
本開示のもう一つの実施例において、前記判断モジュールは、前記指定のアプリケーションのアプリケーション識別子を取得し、前記アプリケーション識別子が予め設定された機密アプリケーションのアプリケーション識別子と同じである場合、前記指定のアプリケーションが機密アプリケーションであることを確定するように構成される。
【００１５】
本開示のもう一つの実施例において、前記取得モジュールは、前記指定のアプリケーションのアプリケーション識別子を取得し、前記アプリケーション識別子に基づいて、暗号化データベースから、前記アプリケーション識別子に対応する暗号化表示方式を取得するように構成され、前記暗号化データベースに暗号化のアプリケーションのアプリケーション識別子と暗号化表示方式との対応関係が記憶されている。
【００１６】
本開示のもう一つの実施例において、前記取得モジュールは、前記アプリケーションインターフェースを表示する中で、前記アプリケーションインターフェースにおいてスライド操作が検出された場合、スライド操作のスライド領域を取得するようにさらに構成され、
前記送信モジュールは、前記スライド領域を前記第１の端末に送信し、前記第１の端末によって前記スライド領域内のアプリケーションインターフェースの内容を表示するようにさらに構成される。
【００１７】
本開示のもう一つの実施例において、前記装置は、検出モジュールを含み、
検出モジュールは、現在モードがプライバシー保護モードであるか否かを検出するように構成され、
前記判断モジュールは、現在モードがプライバシー保護モードである場合、前記指定のアプリケーションが機密アプリケーションであるか否かを判断するように構成される。
【００１８】
本開示の実施例による第４の態様において、アプリケーションインターフェースの表示装置を提供し、前記装置は、受信モジュール、インターフェース生成モジュール、及びインターフェース表示モジュールを含み、
受信モジュールは、第２の端末と予め確立したネットワーク接続によって、前記第２の端末から送信される指定のアプリケーションのアプリケーションインターフェースデータと暗号化表示方式とを受信するように構成され、前記指定のアプリケーションが、前記第２の端末が現在開いているアプリケーションであり、
インターフェース生成モジュールは、前記アプリケーションインターフェースデータに基づいて、前記指定のアプリケーションのアプリケーションインターフェースを生成するように構成され、
インターフェース表示モジュールは、前記暗号化表示方式に基づいて、前記アプリケーションインターフェースを表示するように構成される。
【００１９】
本開示のもう一つの実施例において、前記受信モジュールは、前記第２の端末から送信されるスライド領域を受信するように構成され、前記スライド領域が、前記第２の端末が前記アプリケーションインターフェースにおいて検出したスライド操作によって確定され、
前記インターフェース表示モジュールは、前記スライド領域内のアプリケーションインターフェースの内容を表示するように構成される。
【００２０】
本開示の実施例による第５の態様において、アプリケーションインターフェースの表示装置を提供し、
プロセッサと、
プロセッサで実行可能な命令を記憶するように構成される記憶装置と、を含み、
ここで、前記プロセッサは、
指定のアプリケーションを開く操作が検出された場合、前記指定のアプリケーションが機密アプリケーションであるか否かを判断し、
前記指定のアプリケーションが機密アプリケーションである場合、前記指定のアプリケーションの暗号化表示方式を取得し、
第１の端末と予め確立したネットワーク接続によって、前記指定のアプリケーションのアプリケーションインターフェースデータ、及び前記暗号化表示方式を前記第１の端末に送信するように構成され、
前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる。
【００２１】
本開示の実施例による第６の態様において、アプリケーションインターフェースの表示装置を提供し、
プロセッサと、
プロセッサで実行可能な命令を記憶するように構成される記憶装置と、を含み、
ここで、前記プロセッサは、
第２の端末と予め確立したネットワーク接続によって、前記第２の端末から送信される指定のアプリケーションのアプリケーションインターフェースデータと暗号化表示方式とを受信し、
前記アプリケーションインターフェースデータに基づいて、前記指定のアプリケーションのアプリケーションインターフェースを生成し、
前記暗号化表示方式に基づいて、前記アプリケーションインターフェースを表示するように構成され、
前記指定のアプリケーションが、前記第２の端末が現在開いているアプリケーションである。
【００２２】
本開示の実施例による第７の態様において、非一時的のコンピュータ読み取り可能な記憶媒体を提供し、前記記憶媒体に少なくとも一つの命令が記憶されており、前記少なくとも一つの命令が、プロセッサによってロードされ実行されて、第１の態様に記載されている前記アプリケーションインターフェースの表示方法を実現するようにする。
【００２３】
本開示の実施例による第８の態様において、非一時的のコンピュータ読み取り可能な記憶媒体を提供し、前記記憶媒体に少なくとも一つの命令が記憶されており、前記少なくとも一つの命令が、プロセッサによってロードされ実行されて、第２の態様に記載されている前記アプリケーションインターフェースの表示方法を実現するようにする。
【００２４】
本開示の実施例により提供される技術案は、下記の有益な効果がある。
【００２５】
第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【００２６】
なお、上記の一般的記述と後述の詳細な記述は、例示、解釈するためであり、本開示を制限するわけではない。
本発明は、例えば、以下を提供する。
（項目１）
アプリケーションインターフェースの表示方法であって、
指定のアプリケーションを開く操作が検出された場合、前記指定のアプリケーションが機密アプリケーションであるか否かを判断することと、
前記指定のアプリケーションが機密アプリケーションである場合、前記指定のアプリケーションの暗号化表示方式を取得することと、
第１の端末と予め確立したネットワーク接続によって、前記指定のアプリケーションのアプリケーションインターフェースデータ、及び前記暗号化表示方式を前記第１の端末に送信することと、
を含み、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる、
前記アプリケーションインターフェースの表示方法。
（項目２）
前記指定のアプリケーションが機密アプリケーションであるか否かを判断することは、
前記指定のアプリケーションのアプリケーション識別子を取得することと、
前記アプリケーション識別子が予め設定された機密アプリケーションのアプリケーション識別子と同じである場合、前記指定のアプリケーションが機密アプリケーションであることを確定することと、
を含む、
項目１に記載のアプリケーションインターフェースの表示方法。
（項目３）
前記指定のアプリケーションの暗号化表示方式を取得することは、
前記指定のアプリケーションのアプリケーション識別子を取得することと、
前記アプリケーション識別子に基づいて、暗号化データベースから、前記アプリケーション識別子に対応する暗号化表示方式を取得することと、
を含み、
前記暗号化データベースに暗号化のアプリケーションのアプリケーション識別子と暗号化表示方式との対応関係が記憶されている、
項目１に記載のアプリケーションインターフェースの表示方法。
（項目４）
前記指定のアプリケーションのアプリケーションインターフェースデータ、及び前記暗号化表示方式を前記第１の端末に送信した後に、
前記アプリケーションインターフェースを表示する中で、前記アプリケーションインターフェースにおいてスライド操作が検出された場合、スライド操作のスライド領域を取得することと、
前記スライド領域を前記第１の端末に送信し、前記第１の端末によって前記スライド領域内のアプリケーションインターフェースの内容を表示することと、
をさらに含む、
項目１乃至３のいずれか１項に記載のアプリケーションインターフェースの表示方法。
（項目５）
前記指定のアプリケーションが機密アプリケーションであるか否かを判断する前に、
現在モードがプライバシー保護モードであるか否かを検出することと、
現在モードがプライバシー保護モードである場合、前記指定のアプリケーションが機密アプリケーションであるか否かを判断するステップを実施することと、
をさらに含む、
項目１に記載のアプリケーションインターフェースの表示方法。
（項目６）
アプリケーションインターフェースの表示方法であって、
第２の端末と予め確立したネットワーク接続によって、前記第２の端末から送信される指定のアプリケーションのアプリケーションインターフェースデータと暗号化表示方式とを受信することと、
前記アプリケーションインターフェースデータに基づいて、前記指定のアプリケーションのアプリケーションインターフェースを生成することと、
前記暗号化表示方式に基づいて、前記アプリケーションインターフェースを表示することと、
を含み、前記指定のアプリケーションが、前記第２の端末が現在開いているアプリケーションである、
前記アプリケーションインターフェースの表示方法。
（項目７）
前記暗号化表示方式に基づいて、前記アプリケーションインターフェースを表示した後に、
前記第２の端末から送信されるスライド領域を受信することと、
前記スライド領域内のアプリケーションインターフェースの内容を表示することと、
をさらに含み、前記スライド領域が、前記第２の端末が前記アプリケーションインターフェースにおいて検出したスライド操作によって確定される、
項目６に記載のアプリケーションインターフェースの表示方法。
（項目８）
アプリケーションインターフェースの表示装置であって、判断モジュール、取得モジュール、及び送信モジュールを含み、
前記判断モジュールは、指定のアプリケーションを開く操作が検出された場合、前記指定のアプリケーションが機密アプリケーションであるか否かを判断するように構成され、
前記取得モジュールは、前記指定のアプリケーションが機密アプリケーションである場合、前記指定のアプリケーションの暗号化表示方式を取得するように構成され、
前記送信モジュールは、第１の端末と予め確立したネットワーク接続によって、前記指定のアプリケーションのアプリケーションインターフェースデータ、及び前記暗号化表示方式を前記第１の端末に送信するように構成され、前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる、
前記アプリケーションインターフェースの表示装置。
（項目９）
前記判断モジュールは、前記指定のアプリケーションのアプリケーション識別子を取得し、前記アプリケーション識別子が予め設定された機密アプリケーションのアプリケーション識別子と同じである場合、前記指定のアプリケーションが機密アプリケーションであることを確定するように構成される、
項目８に記載のアプリケーションインターフェースの表示装置。
（項目１０）
前記取得モジュールは、前記指定のアプリケーションのアプリケーション識別子を取得し、前記アプリケーション識別子に基づいて、暗号化データベースから、前記アプリケーション識別子に対応する暗号化表示方式を取得するように構成され、前記暗号化データベースに暗号化のアプリケーションのアプリケーション識別子と暗号化表示方式との対応関係が記憶されている、
項目８に記載のアプリケーションインターフェースの表示装置。
（項目１１）
前記取得モジュールは、前記アプリケーションインターフェースを表示する中で、前記アプリケーションインターフェースにおいてスライド操作が検出された場合、スライド操作のスライド領域を取得するようにさらに構成され、
前記送信モジュールは、前記スライド領域を前記第１の端末に送信するようにさらに構成され、前記第１の端末によって前記スライド領域内のアプリケーションインターフェースの内容を表示する、
項目８乃至１０のいずれか１項に記載のアプリケーションインターフェースの表示装置。
（項目１２）
前記装置は、
現在モードがプライバシー保護モードであるか否かを検出するように構成される検出モジュールをさらに含み、
前記判断モジュールは、現在モードがプライバシー保護モードである場合、前記指定のアプリケーションが機密アプリケーションであるか否かを判断するように構成される、
項目８に記載のアプリケーションインターフェースの表示装置。
（項目１３）
アプリケーションインターフェースの表示装置であって、受信モジュール、インターフェース生成モジュール、及びインターフェース表示モジュールを含み、
前記受信モジュールは、第２の端末と予め確立したネットワーク接続によって、前記第２の端末から送信される指定のアプリケーションのアプリケーションインターフェースデータと暗号化表示方式とを受信するように構成され、前記指定のアプリケーションが、前記第２の端末が現在開いているアプリケーションであり、
前記インターフェース生成モジュールは、前記アプリケーションインターフェースデータに基づいて、前記指定のアプリケーションのアプリケーションインターフェースを生成するように構成され、
前記インターフェース表示モジュールは、前記暗号化表示方式に基づいて、前記アプリケーションインターフェースを表示するように構成される、
前記アプリケーションインターフェースの表示装置。
（項目１４）
前記受信モジュールは、前記第２の端末から送信されるスライド領域を受信するように構成され、前記スライド領域が、前記第２の端末が前記アプリケーションインターフェースにおいて検出したスライド操作によって確定され、
前記インターフェース表示モジュールは、前記スライド領域内のアプリケーションインターフェースの内容を表示するように構成される、
項目１３に記載のアプリケーションインターフェースの表示装置。
（項目１５）
アプリケーションインターフェースの表示装置であって、
プロセッサと、
プロセッサで実行可能な命令を記憶するように構成される記憶装置と、を含み、
ここで、前記プロセッサは、
指定のアプリケーションを開く操作が検出された場合、前記指定のアプリケーションが機密アプリケーションであるか否かを判断し、
前記指定のアプリケーションが機密アプリケーションである場合、前記指定のアプリケーションの暗号化表示方式を取得し、
第１の端末と予め確立したネットワーク接続によって、前記指定のアプリケーションのアプリケーションインターフェースデータ、及び前記暗号化表示方式を前記第１の端末に送信するように構成され、
前記アプリケーションインターフェースデータが、前記第１の端末が前記指定のアプリケーションのアプリケーションインターフェースを生成するために用いられ、前記暗号化表示方式が、前記第１の端末が前記アプリケーションインターフェースを暗号化表示を行うために用いられる、
前記アプリケーションインターフェースの表示装置。
（項目１６）
アプリケーションインターフェースの表示装置であって、
プロセッサと、
プロセッサで実行可能な命令を記憶するように構成される記憶装置とを含み、
ここで、前記プロセッサは、
第２の端末と予め確立したネットワーク接続によって、前記第２の端末から送信される指定のアプリケーションのアプリケーションインターフェースデータと暗号化表示方式とを受信し、
前記アプリケーションインターフェースデータに基づいて、前記指定のアプリケーションのアプリケーションインターフェースを生成し、
前記暗号化表示方式に基づいて、前記アプリケーションインターフェースを表示するように構成され、
前記指定のアプリケーションが、前記第２の端末が現在開いているアプリケーションである、
前記アプリケーションインターフェースの表示装置。
（項目１７）
非一時的のコンピュータ読み取り可能な記憶媒体であって、
前記非一時的のコンピュータ読み取り可能な記憶媒体に少なくとも一つの命令が記憶され、前記少なくとも一つの命令が、プロセッサによってロードされ実行されて、項目１乃至５のいずれか１項に記載のアプリケーションインターフェースの表示方法を実現するようにする、
前記非一時的のコンピュータ読み取り可能な記憶媒体。
（項目１８）
非一時的のコンピュータ読み取り可能な記憶媒体であって、
前記非一時的のコンピュータ読み取り可能な記憶媒体に少なくとも一つの命令が記憶され、前記少なくとも一つの命令が、プロセッサによってロードされ実行されて、項目６又は７に記載のアプリケーションインターフェースの表示方法を実現するようにする、
前記非一時的のコンピュータ読み取り可能な記憶媒体。
【図面の簡単な説明】
【００２７】
【図１】例示的な実施例に基づいて示されるアプリケーションインターフェースの表示方法に係る実施環境である。
【図２】例示的な実施例に基づいて示されるアプリケーションインターフェースの表示方法のフローチャートである。
【図３】例示的な実施例に基づいて示される別の一つのアプリケーションインターフェースの表示方法のフローチャートである。
【図４】例示的な実施例に基づいて示されるもう一つのアプリケーションインターフェースの表示方法のフローチャートである。
【図５】例示的な実施例に基づいて示される端末インターフェースの概略図である。
【図６】例示的な実施例に基づいて示される端末インターフェースの概略図である。
【図７】例示的な実施例に基づいて示されるアプリケーションインターフェースの表示装置のブロック図である。
【図８】是例示的な実施例に基づいて示される別の一つのアプリケーションインターフェースの表示装置のブロック図である。
【図９】是例示的な実施例に基づいて示されるアプリケーションインターフェースの表示装置のブロック図である。
【発明を実施するための形態】
【００２８】
ここでの図面は、明細書に組み込まれて本明細書の一部になり、本開示の実施例を示しており、明細書と共に本開示の原理を解釈するために用いられる。
【００２９】
ここで、例示的な実施例を詳しく説明し、その具体例は図面に示されている。以下の記載が図面に係った場合、明示的にその他の説明がある以外に、異なる図面における同じ数値は、同様又は類似な要素と示している。下記の例示的な実施例に記載されている実施形態は、本開示と一致しているすべての実施形態になっているとは限らない。逆に、それらは、単に特許請求の範囲に詳しく記載されているように、本開示におけるいくつかの態様と一致している装置及び方法の例に過ぎない。
【００３０】
図１は、例示的な実施例に基づいて示されているアプリケーションインターフェースの表示方法に係る実施環境であり、図１に示すように、当該実施環境は、第１の端末１０１と第２の端末１０２とを含む。
【００３１】
ここで、第１の端末１０１は、プロジェクター、スマートテレビなどの大画面デバイスであっても良い。
【００３２】
第２の端末１０２は、スマートフォン、タブレットコンピュータ等の小画面デバイスであっても良い。ユーザの使用ニーズを満たすために、第２の端末１０２に複数タイプのアプリケーションがインストールされており、ナビゲーションアプリケーション、ショッピングアプリケーション、電子書籍アプリケーション、オーディオ再生アプリケーション、ビデオ再生アプリケーション、ソーシャルアプリケーション、ショート情報アプリケーション等を含み、ユーザのプライバシーに関連するか否かに基づいて、これらのアプリケーションを機密アプリケーション（例えば、ショッピングアプリケーション、ソーシャルアプリケーション、ショート情報アプリケーション等）と非機密アプリケーション（例えば、ナビゲーションアプリケーション、電子書籍アプリケーション、オーディオ再生アプリケーション、ビデオ再生アプリケーションなど）を分類することができる。
【００３３】
当該第１の端末１０１と第２の端末１０２は、いずれもネットワーク接続機能を有し、当該ネットワーク接続機能によって、第１の端末１０１と第２の端末１０２とは、有線ネットワーク又は無線ネットワークを介してネットワーク接続を確立することができ、それによってデータの伝送を行う。
【００３４】
図２は、例示的な実施例に基づいて示されているアプリケーションインターフェースの表示方法のフローチャートであり、図２に示すように、アプリケーションインターフェースの表示方法は、第２の端末に用いられ、下記のステップを含む。
【００３５】
ステップＳ２０１において、指定のアプリケーションを開く操作が検出された場合、指定のアプリケーションが機密アプリケーションであるか否かを判断する。
【００３６】
ステップＳ２０２において、指定のアプリケーションが機密アプリケーションである場合、指定のアプリケーションの暗号化表示方式を取得する。
【００３７】
ステップＳ２０３において、第１の端末と予め確立したネットワーク接続によって、指定のアプリケーションのアプリケーションインターフェースデータと暗号化表示方式とを第１の端末に送信する。
【００３８】
ここで、アプリケーションインターフェースデータは、第１の端末が指定のアプリケーションのアプリケーションインターフェースを生成するために用いられ、暗号化表示方式は、第１の端末がアプリケーションインターフェースを暗号化表示するために用いられる。
【００３９】
本開示の実施例に提供される方法において、第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【００４０】
本開示のもう一つの実施例において、指定のアプリケーションが機密アプリケーションであるか否かを判断することは、
指定のアプリケーションのアプリケーション識別子を取得することと、
アプリケーション識別子が予め設定された機密アプリケーションのアプリケーション識別子と同じである場合、指定のアプリケーションが機密アプリケーションであることを確定することと、
を含む。
【００４１】
本開示のもう一つの実施例において、指定のアプリケーションの暗号化表示方式を取得することは、
指定のアプリケーションのアプリケーション識別子を取得することと、
アプリケーション識別子に基づいて、暗号化データベースから、アプリケーション識別子に対応する暗号化表示方式を取得することと、
を含み、暗号化データベースに暗号化のアプリケーションのアプリケーション識別子と暗号化表示方式との対応関係が記憶されている。
【００４２】
本開示のもう一つの実施例において、指定のアプリケーションのアプリケーションインターフェースデータと暗号化表示方式とを第１の端末に送信した後に、
アプリケーションインターフェースを表示する中で、アプリケーションインターフェースでスライド操作が検出された場合、スライド操作のスライド領域を取得することと、
スライド領域を第１の端末に送信し、第１の端末によってスライド領域内のアプリケーションインターフェースの内容を表示することと、
をさらに含む。
【００４３】
本開示のもう一つの実施例において、指定のアプリケーションが機密アプリケーションであるか否かを判断する前に、
現在モードがプライバシー保護モードであるか否かを検出することと、
現在モードがプライバシー保護モードである場合、指定のアプリケーションが機密アプリケーションであるか否かを判断するステップを実施することと、
をさらに含む。
【００４４】
上記のすべての選択可能な技術案は、任意に組み合わせして、本開示の選択可能な実施例とすることができ、ここで一つずつ説明しない。
【００４５】
図３は、例示的な実施例に基づいて示されている別の一つのアプリケーションインターフェースの表示方法のフローチャートであり、図３に示すように、アプリケーションインターフェースの表示方法は、第１の端末に用いられ、下記のステップを含む。
【００４６】
ステップＳ３０１において、第２の端末と予め確立したネットワーク接続によって、第２の端末から送信された指定のアプリケーションのアプリケーションインターフェースデータと暗号化表示方式とを受信する。
【００４７】
ここで、指定のアプリケーションは第２の端末で現在開いているアプリケーションである。
【００４８】
ステップＳ３０２において、アプリケーションインターフェースデータに基づいて、指定のアプリケーションのアプリケーションインターフェースを生成する。
【００４９】
ステップＳ３０３において、暗号化表示方式に基づいて、アプリケーションインターフェースを表示する。
【００５０】
本開示の実施例に提供される方法において、第２の端末から送信された指定のアプリケーションのアプリケーションインターフェースデータと暗号化表示方式とを受信し、暗号化表示方式に従って、アプリケーションインターフェースを表示することによって、新しいアプリケーションインターフェースの表示方式を提供し、ユーザのプライバシーの漏洩を避けることができる。
【００５１】
本開示のもう一つの実施例において、暗号化表示方式に基づいて、アプリケーションインターフェースを表示した後に、
第２の端末から送信されたスライド領域を受信することと、
スライド領域内のアプリケーションインターフェースの内容を表示することと、
をさらに含み、スライド領域が、第２の端末がアプリケーションインターフェースで検出されるスライド操作に基づいて確定される。
【００５２】
上記のすべての選択可能な技術案は、任意に組み合わせして、本開示の選択可能な実施例とすることができ、ここで一つずつ説明しない。
【００５３】
図４は、例示的な実施例に基づいて示されているもう一つのアプリケーションインターフェースの表示方法のフローチャートであり、図４に示すように、アプリケーションインターフェースの表示方法は、第１の端末と第２の端末とに用いられ、下記のステップを含む。
【００５４】
ステップＳ４０１において、第１の端末は第２の端末とネットワーク接続を確立する。
【００５５】
本開示の実施例において、第１の端末と第２の端末とは、ネットワーク接続機能を有するため、ネットワーク接続機能によって、第１の端末が第２の端末とネットワーク接続を確立する時に、下記の４種類を含むが、それらに限らない。
【００５６】
第１種類方式：第１の端末と第２の端末とは、無線フィデリティ（ＷｉＦｉ：Ｗｉｒｅｌｅｓｓ  Ｆｉｄｅｌｉｔｙ）機能を起動し、そしてから、第１の端末はＷｉＦｉ信号をブロードキャストし、ＷｉＦｉ信号を受信したときに、第１の端末と第２の端末とは、ＷｉＦｉ信号を介してネットワーク接続を確立する。
【００５７】
第２種類方式：第１の端末と第２の端末とは、ブルートゥース（登録商標）機能を起動し、デバイス発見段階で互いに発見し合い、その後、第１の端末は、ブルートゥース（登録商標）信号をブロードキャストし、第２の端末は、第１の端末からブロードキャストされたブルートゥース（登録商標）信号を受信してから、受信されたブルートゥース（登録商標）信号に基づいて、第１の端末とネットワーク接続を確立する。
【００５８】
第３種類方式：第１の端末と第２の端末とは、近距離無線通信（ＮＦＣ：Ｎｅａｒ  Ｆｉｅｌｄ  Ｃｏｍｍｕｎｉｃａｔｉｏｎ）機能を起動し、第１の端末と第２の端末とは、データパケットを送信することによってＮＦＣデータチャネルを確立し、それによって、確立したＮＦＣデータチャネルに基づいて、互いにネットワーク接続を確立する。
【００５９】
第４種類方式：第１の端末と第２の端末とは、赤外線機能を起動し、デバイス発見段階で互いに発見し合い、その後、第１の端末は、赤外線信号を送信し、第２の端末は第１の端末から送信された赤外線信号を受信し、受信された赤外線信号に基づいて、第１の端末とネットワーク接続を確立する。
【００６０】
当然、第１の端末は第２の端末とネットワーク接続を確立する時に、その他の方式を使用しても良く、本開示の実施例では、一つずつ説明しない。
【００６１】
ステップＳ４０２において、指定のアプリケーションを開く操作が検出された場合、第２の端末は、指定のアプリケーションが機密アプリケーションであるか否かを判断する。
【００６２】
本開示の実施例において、第２の端末は、二つのモードが有し、一つはプライバシー保護モードであり、もう一つは非プライバシー保護モードである。プライバシー保護モードにおいて、第２の端末は、現在開かれているアプリケーションが機密アプリケーションであるか否かを判断し、現在開かれているアプリケーションが機密アプリケーションである場合、暗号化表示方式を取得し、アプリケーションインターフェースデータと暗号化表示方式とを第１の端末に送信し、第１の端末は、暗号化表示方式に従って、アプリケーションインターフェースを表示し、それによって、ユーザのプライバシーを有効に保護することができ、また、非プライバシー保護モードにおいて、第２の端末はアプリケーションインターフェースデータを第１の端末に送信して表示し、ユーザのプライバシーを保護しない。
【００６３】
本開示の実施例において、第２の端末が異なる表示モードにあるため、第１の端末のアプリケーションインターフェースに対する表示方式は異なり、そのため、指定のアプリケーションを開く操作が検出された場合、第２の端末は、現在モードがプライバシー保護モードであるか否かを検出する必要があり、現在モードがプライバシー保護モードである場合、指定のアプリケーションが機密アプリケーションであるか否かを判断する。
【００６４】
具体的に、第２の端末は、指定のアプリケーションが機密アプリケーションであるか否かを判断する時に、下記のステップを使用する。
【００６５】
ステップ４０２１において、第２の端末は、指定のアプリケーションのアプリケーション識別子を取得する。
【００６６】
ここで、アプリケーション識別子は、一つのアプリケーションを一意に識別するために用いられ、アプリケーション名称、アプリケーションバージョン等々を含む。
【００６７】
ステップ４０２２において、アプリケーション識別子が予め設定された機密アプリケーションのアプリケーション識別子と同じである場合、第２の端末は、指定のアプリケーションが機密アプリケーションであることを確定する。
【００６８】
第２の端末は、暗号化のアプリケーションデータベースを維持し、当該暗号化のアプリケーションデータベースに暗号化のアプリケーションのアプリケーション識別子と暗号化表示方式との対応関係が記憶されており、当該暗号化表示方式は、第１の端末が暗号化のアプリケーションのアプリケーションインターフェースに対して暗号化表示を行うために用いられ、当該暗号化表示方式は曇ガラス効果等を含む。
【００６９】
ここで、暗号化のアプリケーションデータベースの構築過程としては、第２の端末は、暗号化のアプリケーション設定インターフェースを提供し、当該暗号化のアプリケーション設定インターフェースに暗号化のアプリケーション設定オプションと暗号化表示方式設定オプションが表示され、ユーザは、各アプリケーションが機密に関連するか否かに基づいて、暗号化のアプリケーション設定オプションによって、ユーザプライバシーに関連するアプリケーションを機密アプリケーションとして設定し、暗号化表示方式設定オプションに基づいて、各機密アプリケーションに暗号化表示方式を設定する。ユーザは、各機密アプリケーションに暗号化表示方式を設定するときに、すべての暗号化のアプリケーションを同じ暗号化表示方式に設定しても良く、各機密アプリケーションの機密の度合いに基づいて、各機密アプリケーションに異なる暗号化表示方式を設定しても良い。第２の端末は、ユーザの暗号化のアプリケーション設定インターフェースにおける設定操作を検出することによって、ユーザの設定された暗号化のアプリケーションと、対応する暗号化表示方式とを取得し、これによって、暗号化のアプリケーションデータベースを構築する。
【００７０】
構築された暗号化のアプリケーションデータベースに基づいて、第２の端末は、当該指定のアプリケーションのアプリケーション識別子が予め設定された機密アプリケーションのアプリケーション識別子と同じであるか否かを判断し、当該アプリケーション識別子が予め設定された機密アプリケーションのアプリケーション識別子と同じである場合、指定のアプリケーションが機密アプリケーションであると確定し、アプリケーション識別子が予め設定された機密アプリケーションのアプリケーション識別子と異なる場合、指定のアプリケーションが非機密アプリケーションであると確定し、当該指定のアプリケーションのアプリケーションインターフェースデータを第１の端末に直接送信し、第１の端末によって表示する。
【００７１】
ステップＳ４０３において、指定のアプリケーションが機密アプリケーションである場合、第２の端末は、指定のアプリケーションの暗号化表示方式を取得する。
【００７２】
指定のアプリケーションが機密アプリケーションであることを確定した場合、第２の端末は、指定のアプリケーションのアプリケーション識別子に基づいて、予め構築した暗号化データベースから、アプリケーション識別子に対応する暗号化表示方式を取得する。
【００７３】
ステップＳ４０４において、第２の端末は、指定のアプリケーションのアプリケーションインターフェースデータと暗号化表示方式とを第１の端末に送信する。
【００７４】
指定のアプリケーションの暗号化表示方式を取得してから、第２の端末は、予め第１の端末と確立したネットワーク接続によって、指定のアプリケーションのアプリケーションインターフェースデータと暗号化表示方式とを第１の端末に送信し、それによって、第１の端末によって表示する。当然、通常第２の端末のアプリケーションインターフェースが第２の端末側のユーザしか見られなく、その他のユーザは見ることができず、そのため、第２の端末は、指定のアプリケーションのアプリケーションインターフェースを正常に表示することができる。
【００７５】
ステップＳ４０５において、第２の端末から送信された指定のアプリケーションのアプリケーションインターフェースデータと、暗号化表示方式とを受信してから、第１の端末は、アプリケーションインターフェースデータに基づいて、指定のアプリケーションのアプリケーションインターフェースを生成する。
【００７６】
アプリケーションインターフェースデータが、描画する必要があるアプリケーションインターフェースのインターフェース要素、及びインターフェース要素の表示パラメータを備え、しかもアプリケーションインターフェースデータの表示パラメータに基づいて、描画する必要があるインターフェース要素の描画方式を確定することができるため、取得したアプリケーションインターフェースデータに基づいて、端末は、インターフェース要素に対応するグラフィックス要素を描画し、さらに指定のアプリケーションのアプリケーションインターフェースを描画することができる。ここで、グラフィックス要素は、ボタン、アイコン等であっても良く、本開示の実施例では、グラフィックス要素に対して具体的な限定を行わない。
【００７７】
ステップＳ４０６において、第１の端末は、暗号化表示方式に基づいて、アプリケーションインターフェースを表示する。
【００７８】
指定のアプリケーションが機密アプリケーションであるため、ユーザのプライバシーの漏洩を避けるために、指定のアプリケーションのアプリケーションインターフェースを描画してから、第１の端末は、暗号化表示方式に基づいて、指定のアプリケーションのアプリケーションインターフェースを表示する。例えば、暗号化表示方式が曇ガラス効果である場合、曇ガラス効果で指定のアプリケーションのアプリケーションインターフェースを表示する。図５に示すように、第２の端末は、指定のアプリケーションのアプリケーションインターフェースを正常に表示し、第１の端末側では、曇ガラス効果で指定のアプリケーションのアプリケーションインターフェースを表示する。
【００７９】
本開示のもう一つの実施例において、アプリケーションインターフェースを表示する中で、第２の端末がアプリケーションインターフェースにおいてスライド操作を検出した場合、第２の端末は、スライド操作のスライド領域を取得することができ、スライド領域を第１の端末に送信し、第２の端末から送信されたスライド領域を受信してから、第１の端末は、スライド領域内のアプリケーションインターフェースの内容を表示し、それによって、第１の端末側のユーザは、アプリケーションインターフェースにおける機密に関連しない内容が見え、それによって情報共有の目的を達成する。
【００８０】
図６を参照し、アプリケーションインターフェースにおいてユーザのスライド操作を検出した場合、第２の端末は、ユーザスライド操作のスライド領域を取得し、当該スライド領域を第１の端末に送信し、スライド領域を受信した場合、第１の端末は、当該スライド領域内の曇ガラス効果を取り消し、正常の表示方式で当該スライド領域内に位置するアプリケーションインターフェースの内容を表示し、それによって第１の端末側のユーザは、スライド領域内のアプリケーションインターフェースの内容が見える。
【００８１】
ユーザが誤操作で機密アプリケーションを開いた場合、本開示の実施例に提供される方法では、機密アプリケーションのアプリケーションインターフェースを直接に表示せず、暗号化表示方式でアプリケーションインターフェースを表示し、それによってユーザのプライバシーを有効に保護し、ユーザが誤操作で機密アプリケーションを開いたわけではない場合、ユーザは、アプリケーションインターフェースでスライド操作することによって、スライド領域内のアプリケーションインターフェースの内容を表示することができ、それによってアプリケーションインターフェース上の内容を選択してユーザに表示する。
【００８２】
本開示の実施例に提供される方法において、第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【００８３】
図７は、例示的な実施例に基づいて示されているアプリケーションインターフェースの表示装置のブロック図である。図７に示すように、当該装置は、判断モジュール７０１、取得モジュール７０２、及び送信モジュール７０３を含む。
【００８４】
当該判断モジュール７０１は、指定のアプリケーションを開く操作が検出された場合、指定のアプリケーションが機密アプリケーションであるか否かを判断するように構成される。
【００８５】
当該取得モジュール７０２は、指定のアプリケーションが機密アプリケーションである場合、指定のアプリケーションの暗号化表示方式を取得するように構成される。
【００８６】
当該送信モジュール７０３は、第１の端末と予め確立したネットワーク接続によって、指定のアプリケーションのアプリケーションインターフェースデータと暗号化表示方式とを第１の端末に送信するように構成され、当該アプリケーションインターフェースデータは、第１の端末が指定のアプリケーションのアプリケーションインターフェースを生成するために用いられ、当該暗号化表示方式は、第１の端末がアプリケーションインターフェースを暗号化表示するために用いられる。
【００８７】
本開示のもう一つの実施例において、当該判断モジュール７０１は、指定のアプリケーションのアプリケーション識別子を取得し、アプリケーション識別子が予め設定された機密アプリケーションのアプリケーション識別子と同じである場合、指定のアプリケーションが機密アプリケーションであることを確定するように構成される。
【００８８】
本開示のもう一つの実施例において、当該取得モジュール７０２は、指定のアプリケーションのアプリケーション識別子を取得し、アプリケーション識別子に基づいて、暗号化データベースから、アプリケーション識別子に対応する暗号化表示方式を取得するように構成され、当該暗号化データベースに暗号化のアプリケーションのアプリケーション識別子と暗号化表示方式との対応関係が記憶されている。
【００８９】
本開示のもう一つの実施例において、当該取得モジュール７０２は、アプリケーションインターフェースを表示する中で、アプリケーションインターフェースでスライド操作が検出された場合、スライド操作のスライド領域を取得するように構成される。
【００９０】
当該送信モジュール７０３は、スライド領域を第１の端末に送信し、第１の端末によってスライド領域内のアプリケーションインターフェースの内容を表示するように構成される。
【００９１】
本開示のもう一つの実施例において、当該装置は、検出モジュールをさらに含む。
【００９２】
当該検出モジュールは、現在モードがプライバシー保護モードであるか否かを検出するように構成される。
【００９３】
当該判断モジュール７０１は、現在モードがプライバシー保護モードである場合、指定のアプリケーションが機密アプリケーションであるか否かを判断するように構成される。
【００９４】
本開示の実施例に提供される装置において、第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【００９５】
上記の実施例における装置は、それの各モジュールの操作を実施する具体的な方式が、当該方法に関する実施例で詳しく説明されているため、ここで詳しく説明しない。
【００９６】
図８は、例示的な実施例に基づいて示される別のアプリケーションインターフェースの表示装置のブロック図である。図８に示すように、当該装置は、受信モジュール８０１、インターフェース生成モジュール８０２、及びインターフェース表示モジュール８０３を含む。
【００９７】
当該受信モジュール８０１は、第２の端末と予め確立したネットワーク接続によって、第２の端末から送信された指定のアプリケーションのアプリケーションインターフェースデータと暗号化表示方式とを受信するように構成され、当該指定のアプリケーションは第２の端末で現在開いているアプリケーションである。
【００９８】
当該インターフェース生成モジュール８０２は、アプリケーションインターフェースデータに基づいて、指定のアプリケーションのアプリケーションインターフェースを生成するように構成される。
【００９９】
当該インターフェース表示モジュール８０３は、暗号化表示方式に基づいて、アプリケーションインターフェースを表示するように構成される。
【０１００】
本開示のもう一つの実施例において、当該受信モジュール８０１は、第２の端末から送信されたスライド領域を受信するように構成され、当該スライド領域が、第２の端末がアプリケーションインターフェースで検出されるスライド操作に基づいて確定される。
【０１０１】
当該インターフェース表示モジュール８０３は、スライド領域内のアプリケーションインターフェースの内容を表示するように構成される。
【０１０２】
本開示の実施例に提供される装置において、第２の端末から送信された指定のアプリケーションのアプリケーションインターフェースデータと暗号化表示方式とを受信し、暗号化表示方式に従って、アプリケーションインターフェースを表示することによって、それによって、新しいアプリケーションインターフェースの表示方式を提供し、ユーザのプライバシーの漏洩を避けることができる。
【０１０３】
図９は、例示的な実施例に基づいて示されるアプリケーションインターフェースの表示装置９００のブロック図である。例えば、表示装置９００は、携帯電話、コンピュータ、デジタル放送端末、メッセージ送受信デバイス、ゲームコントローラ、タブレット機器、医療設備、フィットネス設備、個人デジタルアシスタント等であっても良い。
【０１０４】
図９に示すように、表示装置９００は、処理コンポーネント９０２、記憶装置９０４、電源コンポーネント９０６、マルチメディアコンポーネント９０８、オーディオコンポーネント９１０、入力／出力（Ｉ／Ｏ）のインターフェース９１２、センサコンポーネント９１４、及び通信コンポーネント９１６のうちの一つ、又は複数のコンポーネントを含むことが可能である。
【０１０５】
処理コンポーネント９０２は、通常、表示装置９００における表示、電話コール、データ通信、カメラ操作及び記録操作に関係する操作のような全体操作を制御する。処理コンポーネント９０２は、上記の全部又は一部のステップを完成させるように、一つ又は複数のプロセッサ９２０を含んで命令を実行することが可能である。それ以外、処理コンポーネント９０２は、処理コンポーネント９０２がその他のコンポーネントとのインタラクションするために、一つ又は複数のモジュールを含むことが可能である。例えば、マルチメディアコンポーネント９０８と処理コンポーネント９０２とのインタラクションのために、処理コンポーネント９０２はマルチメディアモジュールを含むことが可能である。
【０１０６】
記憶装置９０４は、表示装置９００の操作をサポートすることができるように様々のデータを記憶するように構成される。これらのデータは、例示的に、表示装置９００で操作されるいずれのアプリケーション又は方法の命令、連絡先データ、電話帳データ、メッセージ、画像、ビデオなどを含む。記憶装置９０４は、任意タイプの揮発性記憶装置、不揮発性記憶装置、又はそれらの組み合わせで実現されることが可能であり、例えば、静的なランダムアクセスメモリ（ＳＲＡＭ）、電気的消去可能、プログラム可能な読み取り専用な記憶装置（ＥＥＰＲＯＭ）、消去可能、プログラム可能な読み取り専用な記憶装置（ＥＰＲＯＭ）、プログラム可能な読み取り専用な記憶装置（ＰＲＯＭ）、読み取り専用な記憶装置（ＲＯＭ）、磁気記憶装置、フラッシュ記憶装置、磁気ディスク又は光ディスクである。
【０１０７】
電源コンポーネント９０６は、表示装置９００の各コンポーネントに電気を提供する。電源コンポーネント９０６は、電源管理システム、一つ又は複数の電源、及び表示装置９００のための電力の生成、管理及び割り当てと関係するその他のコンポーネントを含むことが可能である。
【０１０８】
マルチメディアコンポーネント９０８は、前記表示装置９００とユーザとの間に提供される出力インターフェースであるディスプレイを含む。幾つかの実施例において、ディスプレイは、液晶ディスプレー（ＬＣＤ）とタッチパネル（ＴＰ）を含むことができる。ディスプレイがタッチパネルを含む場合、ユーザからの入力信号を受けるために、ディスプレイはタッチスクリーンとして実現されることが可能である。タッチパネルは、タッチ、スライド及びタッチパネルにおけるジェスチャを感知するために、１個又は複数のタッチセンサを含む。前記タッチセンサは、タッチ又はスライドの動作の境界を感知することができるだけではなく、前記タッチ又はスライドの操作に関する持続時間と圧力も感知する。幾つかの実施例において、マルチメディアコンポーネント９０８は、一つの前置撮影カメラ及び／又は後置撮影カメラを含む。表示装置９００が操作モード、例えば、撮影モード又はビデオモードである場合、前置撮影カメラ及び／又は後置撮影カメラは、外部マルチメディアのデータを受け取ることができる。前置撮影カメラと後置撮影カメラのいずれも、一つの固定の光学レンズシステムであっても良く、又はフォーカルレングス及び光学可変焦点の能力を備える。
【０１０９】
オーディオコンポーネント９１０は、オーディオ信号を入力及び／又は出力するように構成される。例えば、オーディオコンポーネント９１０は、一つのマイク（ＭＩＣ）を含み、表示装置９００が操作モードである場合、例えばコールモード、記録モード及び音声認識モードである場合、マイクは、外部オーディオ信号を受け取るように構成される。受け取られたオーディオ信号は、さらに記憶装置９０４に記憶され、又は通信コンポーネント９１６を介して送信することができる。幾つかの実施例において、オーディオコンポーネント９１０は一つのスピーカーをさらに、含み、オーディオ信号を出力するように構成される。
【０１１０】
Ｉ／Ｏインターフェース９１２は、処理コンポーネント９０２と周辺インターフェースモジュールとの間にインターフェースを提供し、上記の周辺インターフェースモジュールは、キーボード、クリックホイール、ボタンなどであっても良い。これらのボタンは、ホームページのボタン、ボリュームボタン、起動ボタン及びロックボタンを含むことが可能であるが、それらに限定されない。
【０１１１】
センサコンポーネント９１４は、一つ又は複数のセンサを含み、表示装置９００に各種の状態評価を提供するように構成される。例えば、センサコンポーネント９１４は、表示装置９００の開／閉状態、コンポーネントの相対定位を検出することができ、例えば、前記コンポーネントが表示装置９００のディスプレイとキーボードである。センサコンポーネント９１４はさらに、表示装置９００又は表示装置９００の一つのコンポーネントの位置変化、ユーザが表示装置９００にタッチしているかか否か、表示装置９００の位置又は加速／減速、及び表示装置９００の温度変化も検出することができる。センサコンポーネント９１４は、近接センサを含むことができ、いずれの物理的な接触をせずに、周囲の物体の存在を検出するために用いられるように構成される。センサコンポーネント１９１４は光センサ、例えばＣＭＯＳ又はＣＣＤ画像センサをさらに含むことができ、撮像アプリケーションで使用するように構成される。幾つかの実施例において、該センサコンポーネント９１４は加速度センサ、ジャイロセンサ、磁気センサ、圧力センサ又は温度センサをさらに含むことが可能である。
【０１１２】
通信コンポーネント９１６は、表示装置９００とその他のデバイスとの間に有線又は無線方式の通信を有利にさせるように構成される。表示装置９００は、通信規格に基づく無線ネットワーク、例えばＷｉＦｉ、２Ｇ又は３Ｇ、又はそれらの組み合わせにアクセスすることができる。一つの例示的な実施例において、通信コンポーネント９１６は、ブロードキャストチャネルを介して、外部ブロードキャスト管理システムからのブロードキャスト信号を受信し、又は相関情報をブロードキャストする。一つの例示的な実施例において、前記通信コンポーネント９１６は近距離無線通信（ＮＦＣ）モジュールをさらに含み、短距離通信を促進させる。例えば、ＮＦＣモジュールは、無線周波数識別（ＲＦＩＤ）技術、赤外線データ通信（ＩｒＤＡ）技術、超広帯域無線（ＵＷＢ）技術、ブルートゥース（登録商標）（ＢＴ）技術及びその他の技術に基づいて実現されることが可能である。
【０１１３】
例示的な実施例において、表示装置９００は、１個又は複数のアプリケーション専用集積回路（ＡＳＩＣ）、デジタルシグナルプロセッサ（ＤＳＰ）、デジタル信号処理デバイス（ＤＳＰＤ）、プログラム可能なロジックデバイス（ＰＬＤ）、フィールドプログラマブルゲートアレイ（ＦＰＧＡ）、コントローラ、マイクロコントローラ、マイクロプロセッサー又はその他の回路によって実現されることが可能であり、上記方法を実行するように構成される。
【０１１４】
例示的な実施例において、命令を含む非一時的コンピュータ読み取り可能記憶媒体、例えば、命令を含む記憶装置９０４をさらに提供し、上記命令は、表示装置９００のプロセッサ９１８によって実行され、上記方法を完成させる。例えば、前記非一時的コンピュータ読み取り可能記憶媒体は、ＲＯＭ、ＣＤ−ＲＯＭ、磁気テープ、フロッピー（登録商標）ディスク及び光学データ記憶装置などであっても良い。
【０１１５】
非一時的のコンピュータ読み取り可能な記憶媒体であって、前記記憶媒体内の命令が、移動端末のプロセッサにより実行されるときに、移動端末は、図２、図３又は図４に示されるアプリケーションインターフェースの表示方法を実行することができる。
【０１１６】
本開示の実施例に提供される非一時的のコンピュータ読み取り可能な記憶媒体において、第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【０１１７】
当業者は、明細書を参照し、及びここで開示されている発明を実施した後、本開示のその他の実施形態を容易に想到し得ることになる。本出願の趣旨は、本開示のいずれかの変形、用途又は適切な変化を包含することであり、これらの変形、用途、又は適切な変化は、本開示の一般性の原理に従い、そして本開示の開示されていない本技術分野における一般知識又は慣用技術手段も含む。明細書と実施例は、単なる例示的なものとされる。本開示の範囲と精神は特許請求範囲によって示される。
【０１１８】
なお、本開示は、上記に記載されている、図面に示されている明確な構成に限らず、その範囲を逸脱せず各種の改修と変化を行うことができる。本開示の範囲は、特許請求範囲のみによって限定される。
【産業上の利用可能性】
【０１１９】
本開示の実施例に提供される技術案は、下記の有益な効果がある。第２の端末は、指定のアプリケーションのアプリケーションインターフェースを第１の端末に投影する前に、指定のアプリケーションが機密アプリケーションであるか否かを判断し、指定のアプリケーションが機密アプリケーションである場合、指定のアプリケーションのアプリケーションインターフェースデータと暗号化表示方式とを共に第１の端末に送信することによって、第１の端末は、暗号化表示方式に従ってアプリケーションインターフェースを表示することができ、それによって、新しいアプリケーションインターフェースの表示方式を提供し、ユーザのプライバシーの漏洩を避けることができる。
【図１】
0006892878.tif 000002
【図２】
0006892878.tif 000003
【図３】
0006892878.tif 000004
【図４】
0006892878.tif 000005
【図５】
0006892878.tif 000006
【図６】
0006892878.tif 000007
【図７】
0006892878.tif 000008
【図８】
0006892878.tif 000009
【図９】
0006892878.tif 000010